(57)【要約】【課題】どのようなバッテリパックの取付形態であっても、電動工具を使用する際に電気ケーブルが邪魔になり難いバッテリアダプタ装置を提供する。【解決手段】バッテリアダプタ装置１０は、バッテリパック６と接続可能なバッテリ側ユニット２１と、電動工具５，５０と接続可能な電動工具側ユニット３１と、バッテリ側ユニット２１と電動工具側ユニット３１とを接続する電気ケーブル４５と、を備えることで、バッテリパック６からの電力を電動工具５，５０に供給可能なバッテリアダプタ装置１０である。そして、このバッテリアダプタ装置１０では、電動工具側ユニット３１と電気ケーブル４５とのケーブル接続部が、傾動自在に構成されている。【選択図】図４
2017202537.tif 000002
【特許請求の範囲】
【請求項１】
バッテリパックと接続可能なバッテリ側ユニットと、
電動工具と接続可能な電動工具側ユニットと、
前記バッテリ側ユニットと前記電動工具側ユニットとを接続する電気ケーブルと、
を備えることで、前記バッテリパックからの電力を前記電動工具に供給可能なバッテリアダプタ装置であって、
前記電動工具側ユニットと前記電気ケーブルとのケーブル接続部を、傾動自在に構成したことを特徴とするバッテリアダプタ装置。
【請求項２】
請求項１に記載のバッテリアダプタ装置において、
前記電動工具側ユニットに対する前記電気ケーブルの傾動動作を拘束して傾動位置を位置保持可能とする位置保持機構を備えることを特徴とするバッテリアダプタ装置。
【請求項３】
請求項１又は２に記載のバッテリアダプタ装置において、
前記電動工具側ユニットと前記電気ケーブルとのケーブル接続部が、前記電動工具側ユニットの前記電動工具との装着側の面とは別の面の略中央部に配置されていることを特徴とするバッテリアダプタ装置。
【請求項４】
請求項１〜３のいずれか１項に記載のバッテリアダプタ装置において、
前記電動工具側ユニットは、前記電動工具に対してスライド移動して装着可能に構成されており、
前記電動工具側ユニットと前記電気ケーブルとのケーブル接続部は、前記スライド移動方向に対して左右方向の軸線周りで傾動自在とされていることを特徴とするバッテリアダプタ装置。
【請求項５】
請求項１〜４のいずれか１項に記載のバッテリアダプタ装置において、
前記電動工具側ユニットには、前記電気ケーブルの傾動範囲の限界端に、前記電気ケーブルを受け入れる受入溝が形成されていることを特徴とするバッテリアダプタ装置。
【請求項６】
請求項１〜５のいずれか１項に記載のバッテリアダプタ装置において、
前記電動工具側ユニットには、前記電気ケーブルを傾動範囲の限界端に傾動させたときに、前記電気ケーブルとのケーブル接続部が配置された面側を載置面として接地できるように構成されていることを特徴とするバッテリアダプタ装置。
【発明の詳細な説明】
【技術分野】
【０００１】
本発明は、バッテリ式の電動工具に用いられるバッテリアダプタ装置に関するものである。
【背景技術】
【０００２】
従来から、バッテリパックと接続可能なバッテリ側ユニットと、電動工具と接続可能な電動工具側ユニットと、バッテリ側ユニットと電動工具側ユニットとを接続する電気ケーブルと、を備えることで、バッテリパックからの電力を電動工具に供給可能なバッテリアダプタ装置が知られている。
【０００３】
例えば、下記特許文献１には、バッテリパックを収容した本体ユニットと、この本体ユニットを電動工具に電源として接続するためのアダプタコードを備えたバッテリアダプタ装置（バッテリ装置）であって、本体ユニットは、アダプタコードを介して電動工具にコネクタ接続されており、このコネクタ接続部を切り離して本体ユニットを電動工具から分離可能な構成としたバッテリアダプタ装置（バッテリ装置）が開示されている。そして、特許文献１に係るバッテリアダプタ装置（バッテリ装置）によれば、アダプタコードのコネクタ接続部を切り離すことにより本体ユニットを電動工具から分離することができるので、当該バッテリ装置の使い勝手および取り扱い性を高めることができる、とされている。
【０００４】
また例えば、下記特許文献２には、モータを備える電動工具本体と、前記電動工具本体に連結可能なバッテリと、前記電動工具本体に連結可能な工具側連結部とその工具側連結部に接続されたケーブルとを備え、前記ケーブルを介して電力を電動工具本体に供給できるバッテリアダプタとからなる電動工具の連結システムに関する技術が開示されている。そして、特許文献２に係る発明は、特定の電動工具について、その電動工具の定格電圧に合ったバッテリであっても専用のバッテリ以外は使用できないようにして、前記電動工具の重量バランスの変動等を防止することを発明の目的とするものであった。
【先行技術文献】
【特許文献】
【０００５】
【特許文献１】特開２０１４−１９４９５０号公報
【特許文献２】特許第５５３５９４９号明細書
【発明の概要】
【発明が解決しようとする課題】
【０００６】
しかしながら、上掲した特許文献１および２に代表される従来のバッテリアダプタ装置では、電動工具側ユニットとバッテリ側ユニットとを接続する電気ケーブルが、電動工具側ユニットにおける電動工具とのスライド装着方向の後面に対して接続されていた。したがって、使用する電動工具におけるバッテリパックの取付形態によっては、電気ケーブルが邪魔になり、作業性を低下させてしまうといった課題が存在していた。
【０００７】
本発明は、上述した従来技術に存在する課題に鑑みて成されたものであって、その目的は、どのようなバッテリパックの取付形態であっても、電動工具を使用する際に電気ケーブルが邪魔になり難いバッテリアダプタ装置を提供することにある。
【課題を解決するための手段】
【０００８】
以下、本発明について説明する。なお、本発明の理解を容易にするために添付図面の参照番号を括弧書きにて付記するが、それにより本発明が図示の形態に限定されるものではない。
【０００９】
本発明に係るバッテリアダプタ装置（１０）は、バッテリパック（６）と接続可能なバッテリ側ユニット（２１）と、電動工具（５，５０）と接続可能な電動工具側ユニット（３１）と、前記バッテリ側ユニット（２１）と前記電動工具側ユニット（３１）とを接続する電気ケーブル（４５）と、を備えることで、前記バッテリパック（６）からの電力を前記電動工具（５，５０）に供給可能なバッテリアダプタ装置（１０）であって、前記電動工具側ユニット（３１）と前記電気ケーブル（４５）とのケーブル接続部を、傾動自在に構成したことを特徴とするものである。
【００１０】
本発明に係るバッテリアダプタ装置（１０）では、前記電動工具側ユニット（３１）に対する前記電気ケーブル（４５）の傾動動作を拘束して傾動位置を位置保持可能とする位置保持機構（４０）を備えることとすることができる。
【００１１】
また、本発明に係るバッテリアダプタ装置（１０）において、前記電動工具側ユニット（３１）と前記電気ケーブル（４５）とのケーブル接続部が、前記電動工具側ユニット（３１）の前記電動工具（５，５０）との装着側の面とは別の面の略中央部に配置されていることが好適である。
【００１２】
さらに、本発明に係るバッテリアダプタ装置（１０）において、前記電動工具側ユニット（３１）は、前記電動工具（５，５０）に対してスライド移動して装着可能に構成されており、前記電動工具側ユニット（３１）と前記電気ケーブル（４５）とのケーブル接続部は、前記スライド移動方向に対して左右方向の軸線周りで傾動自在とされていることが好適である。
【００１３】
またさらに、本発明に係るバッテリアダプタ装置（１０）において、前記電動工具側ユニット（３１）には、前記電気ケーブル（４５）の傾動範囲の限界端に、前記電気ケーブル（４５）を受け入れる受入溝（３２）が形成されていることとすることができる。
【００１４】
さらにまた、本発明に係るバッテリアダプタ装置（１０）において、前記電動工具側ユニット（３１）には、前記電気ケーブル（４５）を傾動範囲の限界端に傾動させたときに、前記電気ケーブル（４５）とのケーブル接続部が配置された面側を載置面として接地できるように構成されていることとすることができる。
【発明の効果】
【００１５】
本発明によれば、どのようなバッテリパックの取付形態であっても、電動工具を使用する際に電気ケーブルが邪魔になり難いバッテリアダプタ装置を提供することができる。
【図面の簡単な説明】
【００１６】
【図１】本実施形態に係るバッテリアダプタ装置が設置された電動工具の使用例を示す斜視図である。
【図２】本実施形態に係るバッテリ側ユニットに対してバッテリパックが接続された状態の外観を示す図であり、図中の分図（ａ）が反電気ケーブル側から見た外観視を、分図（ｂ）が電気ケーブル側から見た外観視を示している。
【図３】本実施形態に係るバッテリ側ユニットに対してバッテリパックが接続されていない状態の形状を説明するための図であり、図中の分図（ａ）は操作者が装着する側の面を示しており、分図（ｂ）は分図（ａ）を横から見た場合の側面を示し、分図（ｃ）はバッテリパックと接続する側の面を示し、分図（ｄ）は反電気ケーブル側から見た場合の面を示し、分図（ｅ）は分図（ｂ）とは逆側の側面を示している。
【図４】本実施形態に係るバッテリアダプタ装置の外観構成を示す斜視図であり、図中の分図（ａ）〜（ｃ）のいずれもヘッジトリマとの接続面とは逆側の面側から見た場合の斜視図が示されており、図４中の分図（ａ）では、電気ケーブルが取付面に対して垂直方向に立設した状態が示されており、分図（ｂ）では、電気ケーブルが取付面に対して紙面左側に傾動した状態が示されており、分図（ｃ）では、電気ケーブルが取付面に対して紙面右側に傾動した状態が示されている。
【図５】本実施形態に係るバッテリアダプタ装置の外観構成をより詳細に説明するための図であり、図中の分図（ａ）はヘッジトリマと接続する側の面を示し、分図（ｂ）はヘッジトリマが挿入される側の正面が示されており、分図（ｃ）はバッテリアダプタ装置の側面が示されており、分図（ｄ）はヘッジトリマが挿入される側とは逆側の背面が示されている。
【図６】図５中のＡ−Ａ断面を示す断面図である。
【図７】図５中のＢ−Ｂ断面を示す断面図である。
【図８】電気ケーブルが取付面に対して紙面左側に傾動した状態が示されており、この紙面左側は、ヘッジトリマが挿入される側であり、図８中において、分図（ａ）は外観側面が示されており、分図（ｂ）は電気ケーブルの取付面、すなわちヘッジトリマとの接続面とは逆側の面が示されており、分図（ｃ）は分図（ｂ）におけるＣ−Ｃ断面が示されている。
【図９】電気ケーブルが取付面に対して紙面右側に傾動した状態が示されており、この紙面右側は、ヘッジトリマが挿入される側とは逆側となっており、図９中において、分図（ａ）は外観側面が示されており、分図（ｂ）は電気ケーブルの取付面、すなわちヘッジトリマとの接続面とは逆側の面が示されており、分図（ｃ）は分図（ｂ）におけるＤ−Ｄ断面が示されている。
【図１０】本実施形態に係るバッテリアダプタ装置が備える位置保持機構を説明するための図であり、位置保持機構が機能せずに電気ケーブルが拘束を受けないフリーの状態が示されている。
【図１１】本実施形態に係るバッテリアダプタ装置が備える位置保持機構を説明するための図であり、位置保持機構が機能することで電気ケーブルが拘束を受けているノンフリーの状態が示されている。
【図１２】本実施形態に係るバッテリアダプタ装置が備える位置保持機構を説明するための図であり、位置保持機構が機能することで電気ケーブルが拘束を受けているノンフリーの状態が示されている。
【図１３】本実施形態に係るバッテリアダプタ装置が別の電動工具に設置された場合の使用例を示す外観図であり、図中の分図（ａ）が電動工具の上面視を、分図（ｂ）が電動工具の側面視を示している。
【発明を実施するための形態】
【００１７】
以下、本発明を実施するための好適な実施形態について、図面を用いて説明する。なお、以下の実施形態は、各請求項に係る発明を限定するものではなく、また、実施形態の中で説明されている特徴の組み合わせの全てが発明の解決手段に必須であるとは限らない。
【００１８】
図１は、本実施形態に係るバッテリアダプタ装置１０が設置された電動工具の使用例を示す斜視図である。図１では、ヘッジトリマ５と呼ばれる電動工具に対して、本実施形態に係るバッテリアダプタ装置１０が設置された使用状態が例示されている。
【００１９】
図１に示すように、本実施形態に係るバッテリアダプタ装置１０は、バッテリパック６と接続可能なバッテリ側ユニット２１と、電動工具であるヘッジトリマ５と接続可能な電動工具側ユニット３１と、バッテリ側ユニット２１と電動工具側ユニット３１とを接続する電気ケーブル４５と、を備えており、かかる構成を備えることにより、バッテリパック６からの電力をヘッジトリマ５に対して供給することが可能となっている。そして、バッテリパック６が接続されたバッテリ側ユニット２１を操作者の、例えば腰回りのベルト等に装着させ、一方、電動工具側ユニット３１と接続したヘッジトリマ５を操作者が両手で操作することになるが、重量物であるバッテリパック６が操作者の体側等に配置されることで、操作者が両手で操作するヘッジトリマ５側の重量が軽くなるので、操作のし易い電動工具が実現されている。なお、図１に示すバッテリパック６は、ヘッジトリマ５に対して直接接続することが可能となっており、図１に示すような本実施形態に係るバッテリアダプタ装置１０を使用する使用例と、本実施形態に係るバッテリアダプタ装置１０を使用せずにヘッジトリマ５に対してバッテリパック６を直接接続した使用例とを、選択することが可能となっている。
【００２０】
次に、本実施形態に係るバッテリアダプタ装置１０の主要な構成部材の説明を行う。まず、図２〜図３を用いることで、本実施形態に係るバッテリアダプタ装置１０が備えるバッテリ側ユニット２１の具体的構成についての説明を行う。ここで、図２は、本実施形態に係るバッテリ側ユニット２１に対してバッテリパック６が接続された状態の外観を示す図であり、図中の分図（ａ）が反電気ケーブル４５側から見た外観視を、分図（ｂ）が電気ケーブル４５側から見た外観視を示している。また、図３は、本実施形態に係るバッテリ側ユニット２１に対してバッテリパック６が接続されていない状態の形状を説明するための図であり、図中の分図（ａ）は操作者が装着する側の面を示しており、分図（ｂ）は分図（ａ）を横から見た場合の側面を示し、分図（ｃ）はバッテリパック６と接続する側の面を示し、分図（ｄ）は反電気ケーブル４５側から見た場合の面を示し、分図（ｅ）は分図（ｂ）とは逆側の側面を示している。
【００２１】
本実施形態に係るバッテリ側ユニット２１は、バッテリパック６が装着される面とは逆側の面に、フック２２を有している。このフック２２は、操作者の、例えば腰回りのベルト等に引っ掛けることで、操作者の体側等に重量物であるバッテリパック６を配置することに用いられる。
【００２２】
また、本実施形態に係るバッテリ側ユニット２１は、図３中の分図（ｅ）で示される一方の側面に対して、ＵＳＢポート２３を有している。また、図３中の分図（ｄ）で示される反電気ケーブル４５側から見た場合の面に対しては、ＵＳＢポート２３の電力供給をＯＮ／ＯＦＦするための供給ＯＮ／ＯＦＦスイッチ２４が設けられている。このＵＳＢポート２３を利用してバッテリ側ユニット２１と外部機器（不図示）とを接続し、さらに、供給ＯＮ／ＯＦＦスイッチ２４をＯＮとすることで、バッテリパック６に充電された電力を不図示の外部機器に対して供給することが可能となっている。
【００２３】
次に、図４〜図１２を参照することで、本実施形態に係るバッテリアダプタ装置１０が備える電動工具側ユニット３１の具体的構成についての説明を行う。
【００２４】
ここで、図４は、本実施形態に係るバッテリアダプタ装置の外観構成を示す斜視図であり、図中の分図（ａ）〜（ｃ）のいずれもヘッジトリマ５との接続面とは逆側の面側から見た場合の斜視図が示されている。そして、図４中の分図（ａ）では、電気ケーブル４５が取付面に対して垂直方向に立設した状態が示されており、分図（ｂ）では、電気ケーブル４５が取付面に対して紙面左側に傾動した状態が示されており、分図（ｃ）では、電気ケーブル４５が取付面に対して紙面右側に傾動した状態が示されている。また、図５は、本実施形態に係るバッテリアダプタ装置の外観構成をより詳細に説明するための図であり、図中の分図（ａ）はヘッジトリマ５と接続する側の面を示し、分図（ｂ）はヘッジトリマ５が挿入される側の正面が示されており、分図（ｃ）はバッテリアダプタ装置の側面が示されており、分図（ｄ）はヘッジトリマ５が挿入される側とは逆側の背面が示されている。さらに、図６は、図５中のＡ−Ａ断面を示す断面図であり、図７は、図５中のＢ−Ｂ断面を示す断面図である。図５〜図７では、いずれも電気ケーブル４５が取付面に対して垂直方向に立設した状態が示されている。またさらに、図８は、電気ケーブル４５が取付面に対して紙面左側に傾動した状態が示されており、この紙面左側は、ヘッジトリマ５が挿入される側である。図８中において、分図（ａ）は外観側面が示されており、分図（ｂ）は電気ケーブル４５の取付面、すなわちヘッジトリマ５との接続面とは逆側の面が示されており、分図（ｃ）は分図（ｂ）におけるＣ−Ｃ断面が示されている。さらにまた、図９は、電気ケーブル４５が取付面に対して紙面右側に傾動した状態が示されており、この紙面右側は、ヘッジトリマ５が挿入される側とは逆側となっている。図９中において、分図（ａ）は外観側面が示されており、分図（ｂ）は電気ケーブル４５の取付面、すなわちヘッジトリマ５との接続面とは逆側の面が示されており、分図（ｃ）は分図（ｂ）におけるＤ−Ｄ断面が示されている。また、図１０〜図１２は、本実施形態に係るバッテリアダプタ装置が備える位置保持機構を説明するための図であり、図１０では、位置保持機構が機能せずに電気ケーブル４５が拘束を受けないフリーの状態が示されており、一方、図１１および図１２では、位置保持機構が機能することで電気ケーブル４５が拘束を受けているノンフリーの状態が示されている。なお、図１０〜図１２においてはいずれも、分図（ａ）がヘッジトリマ５との接続面とは逆側の面側から見た場合の外観が示されており、分図（ｂ）が分図（ａ）中で示されたＥ−Ｅ断面（図１０）、Ｆ−Ｆ断面（図１１）、Ｇ−Ｇ断面（図１２）を示している。
【００２５】
本実施形態に係る電動工具側ユニット３１は、図４に示すように、電動工具側ユニット３１と電気ケーブル４５とのケーブル接続部が、傾動自在となるように構成されている。そして、本実施形態に係る電動工具側ユニット３１では、電動工具側ユニット３１と電気ケーブル４５とのケーブル接続部が、電動工具側ユニット３１におけるヘッジトリマ５との装着側の面とは逆側の面の略中央部に配置されている。また、電動工具側ユニット３１は、ヘッジトリマ５に対して図４中の符号αで示す方向にスライド移動することでヘッジトリマ５に装着可能とされているが、電動工具側ユニット３１と電気ケーブル４５とのケーブル接続部は、この符号αで示されるスライド移動方向に対して左右方向の軸線周りで傾動自在とされている。すなわち、電気ケーブル４５は、電動工具側ユニット３１に対して図４（ａ）中の符号βで示す方向での傾動動作が可能となっている。
【００２６】
さらに、本実施形態に係る電動工具側ユニット３１には、電気ケーブル４５の傾動範囲の限界端に対して、電気ケーブル４５を受け入れるための２つの受入溝３２が形成されている。またさらに、電動工具側ユニット３１には、電気ケーブル４５を傾動範囲の限界端に傾動させたときに、電気ケーブル４５とのケーブル接続部が配置された面側を載置面として接地できるように、当該載置面の四隅の位置に接地部となる脚部３３が突設されている。なお、本実施形態では、図４に示すように、脚部３３は４つ突設されている。つまり、本実施形態に係る電動工具側ユニット３１では、電気ケーブル４５を当該電気ケーブル４５の傾動範囲の限界端に傾動させた状態で脚部３３が突設された面側を下方にし、例えば作業台や地面などに接地すると、受入溝３２と脚部３３の存在によって電気ケーブル４５や軸受形状３５の載置面から突出した部位が接地状態を阻害することが無いので、電動工具側ユニット３１が接続されたヘッジトリマ５の安定した接地状態が実現されることとなる（図８および図９等参照）。また、受入溝３２を形成したことで、電気ケーブル４５の傾動角度範囲をより拡大することも可能となる。
【００２７】
次に、図４、図６〜図９を参照して、傾動自在に構成された電動工具側ユニット３１と電気ケーブル４５とのケーブル接続部の具体的構成について、説明を行う。図４および図７に示すように、本実施形態のケーブル接続部は、概略Ｔ字形状をした傾動軸体３４を有しており、この傾動軸体３４に対して電気ケーブル４５が挿通され、その端部が電動工具側ユニット３１が有する端子に接続されている。一方、電動工具側ユニット３１の略中央部には、概略Ｔ字形状をした傾動軸体３４を軸支可能な軸受形状３５が形成されている。この軸受形状３５は、電動工具側ユニット３１を構成する筺体の内部形状として構成されており、概略Ｔ字形状をした傾動軸体３４の「Ｔ」字の横軸の両軸端部を支承することで、「Ｔ」字の縦軸が傾動動作することができるように構成されている（図８および図９も併せて参照）。なお、図６〜図９に示すように、ケーブル接続部の傾動方向に沿った断面で電動工具側ユニット３１を見た場合、概略Ｔ字形状をした傾動軸体３４の「Ｔ」字の横軸の両軸端部の外周は、円筒形状で形成されているので、スムーズな傾動動作が実現可能となっている。また、本実施形態に係るケーブル接続部は、電動工具側ユニット３１の内部の略中央位置に配置されているので、非常にコンパクトな構成の電動工具側ユニット３１が実現されている。かかる構成は、電動工具側ユニット３１の軽量化を実現するものであり、操作性の向上に寄与している。
【００２８】
さらに、本実施形態に係る電動工具側ユニット３１は、電動工具側ユニット３１に対する電気ケーブル４５の傾動動作を拘束して傾動位置を位置保持可能とするための位置保持機構４０を備えている。この位置保持機構４０について、図７、図１０〜図１２を参照して説明する。
【００２９】
本実施形態の概略Ｔ字形状をした傾動軸体３４の「Ｔ」字の横軸の一方側の軸端部には、表面に多数の凹凸形状部を有する係合軸３６が突出して形成されている。この係合軸３６の多数の凹凸形状部の形状は、図１０〜図１２の分図（ｂ）に、それぞれ示されている。
【００３０】
一方、図１０〜図１２の分図（ｂ）に示すように、係合軸３６と電動工具側ユニット３１のハウジング内部形状との間には、係合軸３６と係合可能に構成された係合プレート３７が配置されている。この係合プレート３７は、電動工具側ユニット３１におけるヘッジトリマ５との接続面とは逆側の面に表出してスライド操作可能に構成される操作ノブ３７ａと、係合軸３６の周囲を取り囲むように配置されて係合軸３６の拘束状態と非拘束状態を実現できる孔形状を有する係合孔３７ｂと、電動工具側ユニット３１のハウジング内部に係合して係合プレート３７の位置を規定する位置決め凸部３７ｃとを有して構成されている。また、電動工具側ユニット３１のハウジング内部には、位置決め凸部３７ｃと係合する係合溝３８が３箇所形成されている。したがって、係合プレート３７は、係合プレート３７が備える位置決め凸部３７ｃと、電動工具側ユニット３１のハウジング内部に形成された３個の係合溝３８との協働した作用によって、図１０で示す中央位置と、図１１に示す左スライド位置と、図１２に示す右スライド位置という３つの位置をとることが可能となっている。
【００３１】
そして、本実施形態に係る係合プレート３７が、図１０で示す中央位置にあるときには、係合軸３６と係合プレート３７の係合孔３７ｂとは非接触の状態となるので、係合軸３６は非拘束の状態（フリーの状態）となる。つまり、操作ノブ３７ａが中央位置にある図１０で示す状態のときには、電動工具側ユニット３１に対して電気ケーブル４５が自由に傾動動作可能な状態となっている。
【００３２】
一方、本実施形態に係る係合プレート３７が、図１１で示す左スライド位置にあるとき、もしくは、図１２で示す右スライド位置にあるときには、係合軸３６と係合プレート３７の係合孔３７ｂとが接触状態となり、係合孔３７ｂの孔内部に形成された多数の凹凸形状部と、係合軸３６の軸表面に形成された多数の凹凸形状部とが噛み合い、係合軸３６は係合プレート３７によって拘束された状態（ノンフリーの状態）となる。なお、このとき、係合プレート３７が有する位置決め凸部３７ｃと電動工具側ユニット３１のハウジング内部に形成された係合溝３８とは係合状態にあるので、係合プレート３７は、係合軸３６の安定した拘束状態を維持できるこことなる。つまり、操作ノブ３７ａが左スライド位置にある図１１で示す状態のとき、もしくは、右スライド位置にある図１２で示す状態のときには、電動工具側ユニット３１に対して電気ケーブル４５が位置保持されて自由に傾動動作できない状態となっている。
【００３３】
なお、本実施形態では、係合軸３６の軸表面に形成された凹凸形状部は周方向等間隔で１２個形成されており、係合孔３７ｂの孔内部に形成された凹凸形状部は左右それぞれに３個ずつ、合計６個形成されている。したがって、操作ノブ３７ａを左右いずれかの方向にスライド移動させれば、係合プレート３７は、電気ケーブル４５の傾動角度が３０°毎に係合軸３６を拘束できることとなるが、係合軸３６の凹凸形状部および係合孔３７ｂの凹凸形状部の構成を適宜設定すれば、拘束することができる電気ケーブル４５の傾動位置（傾動角度）は変更可能である。
【００３４】
さらに、本実施形態に係る係合プレート３７は、ある程度の剛性と弾性を併せ持つ樹脂材料にて構成されており、さらに、係合孔３７ｂなどの開口部も備えているので、所定の弾性変形能を有している。かかる構成は、例えば、位置保持状態にある電気ケーブル４５に対して過大な外部荷重が加わったときなどに好適に機能するものである。すなわち、位置保持状態にある電気ケーブル４５に対して過大な外部荷重が加わると、係合プレート３７は弾性変形能によって形状を変形させ、一時的に係合軸３６の拘束状態を解除することとなる。仮に、係合プレート３７に当該弾性変形能が無ければ、過大な外部荷重によって電動工具側ユニット３１は破壊されることになるが、本実施形態の場合には、係合プレート３７が備える弾性変形能によって、装置の破損を防止することが可能となっている。
【００３５】
なお、本実施形態では、操作ノブ３７ａを左右いずれかの方向にスライド移動させることで位置保持機構４０が機能するように構成されているが、この左右の操作の選択については、作業者の状況に応じて適宜選択することができる。操作ノブ３７ａを左右どちらの方向にスライド移動させたとしても、位置保持機構４０は同様の機能を発揮することとなる。
【００３６】
以上、本発明の好適な実施形態について説明したが、本発明の技術的範囲は上記実施形態に記載の範囲には限定されない。上記実施形態には、多様な変更又は改良を加えることが可能である。
【００３７】
例えば、上述した実施形態では、ヘッジトリマ５に対して、本実施形態に係るバッテリアダプタ装置１０が設置された使用状態を例示した。しかしながら、本発明に係るバッテリアダプタ装置は、あらゆる種類の電動工具に対して適用することが可能である。その一例として、図１３を示す。ここで、図１３は、本実施形態に係るバッテリアダプタ装置１０が別の電動工具に設置された場合の使用例を示す外観図であり、図中の分図（ａ）が電動工具の上面視を、分図（ｂ）が電動工具の側面視を示している。すなわち、図１３では、手持ち式ハンドグラインダ５０に対して本実施形態に係るバッテリアダプタ装置１０が設置された場合の使用状態例が示されている。この例のように、本発明に係るバッテリアダプタ装置は、あらゆる種類の電動工具に対して用いることが可能となっている。
【００３８】
また、例えば、上述した実施形態では、電動工具側ユニット３１と電気ケーブル４５とのケーブル接続部が、電動工具側ユニット３１におけるヘッジトリマ５との装着側の面とは逆側の面の略中央部に配置されていた。しかしながら、本発明において、電動工具側ユニット３１と電気ケーブル４５とのケーブル接続部の配置位置については、あらゆる場所に設けることができる。ケーブル接続部の配置位置については、電動工具側ユニット３１におけるヘッジトリマ５との装着側の面とは別の面の略中央部に配置されていれば良い。
【００３９】
また、例えば、上述した実施形態では、電動工具側ユニット３１の脚部３３は、４箇所の位置に設けられたものであった。しかしながら、本発明に係る電動工具側ユニット３１では、電気ケーブル４５を傾動範囲の限界端に傾動させたときに、当該電気ケーブル４５とのケーブル接続部が配置された面側を載置面として接地できるように、当該載置面の少なくとも四隅の範囲に接地部となる脚部３３が突設して設けられていればよい。つまり、本発明に係る脚部の個数は任意に選択することができ、電動工具側ユニット３１が設置された電動工具が安定した載置状態を実現できる形状であれば、どのような脚部形状・脚部個数を採用しても良い。
【００４０】
また、例えば、上述した実施形態では、電動工具側ユニット３１の電気ケーブル４５とのケーブル接続部が配置された面側を載置面として接地したときに、電気ケーブル４５や軸受形状３５の載置面から突出した部位が接地状態を阻害せず、安定した接地状態を実現できるように、載置面には、電気ケーブル４５の傾動範囲の限界端において電気ケーブル４５を受け入れるための２つの受入溝３２と、四隅の位置に突設された接地部となる脚部３３とが設けられていた。しかしながら、本発明においては、受入溝３２を設けない構成とすることもできる。この構成の場合は、脚部３３の載置面からの突出量をより大きくすれば、電気ケーブル４５が接地状態を阻害することを回避できる。また、脚部３３を設けない構成とすることもできる。この構成の場合は、受入溝３２の深さを電気ケーブル４５が傾動範囲の限界端に傾動させたときに載置面から突出しない深さに設定し、さらに、軸受形状３５が載置面から突出しない構造とすることで、電気ケーブル４５や軸受形状３５の載置面から突出した部位が接地状態を阻害することを回避できる。
【００４１】
その様な変更又は改良を加えた形態も本発明の技術的範囲に含まれ得ることが、特許請求の範囲の記載から明らかである。
【符号の説明】
【００４２】
５  ヘッジトリマ、６  バッテリパック、１０  バッテリアダプタ装置、２１  バッテリ側ユニット、２２  フック、２３  ＵＳＢポート、２４  供給ＯＮ／ＯＦＦスイッチ、３１  電動工具側ユニット、３２  受入溝、３３  脚部、３４  傾動軸体、３５  軸受形状、３６  係合軸、３７  係合プレート、３７ａ  操作ノブ、３７ｂ  係合孔、３７ｃ  位置決め凸部、３８  係合溝、４０  位置保持機構、４５  電気ケーブル、５０  手持ち式ハンドグラインダ。
【図１】
2017202537.tif 000003
【図２】
2017202537.tif 000004
【図３】
2017202537.tif 000005
【図４】
2017202537.tif 000006
【図５】
2017202537.tif 000007
【図６】
2017202537.tif 000008
【図７】
2017202537.tif 000009
【図８】
2017202537.tif 000010
【図９】
2017202537.tif 000011
【図１０】
2017202537.tif 000012
【図１１】
2017202537.tif 000013
【図１２】
2017202537.tif 000014
【図１３】
2017202537.tif 000015